(57)【要約】      （修正有）【課題】打撃練習施設におけるレンジ内に掲載された広告情報に対する自然な視線誘導を促すことができるレンジ構造、レンジを区画するための仕切り幕、及び、レンジを構築するためのレンジ構築キットを提供する。【解決手段】レンジ構造１０は、広告情報が掲載された広告表示部と、速度測定器３によって計測されたスイングスピードに基づく情報を表示するスイング情報表示部と、を具備してなる仕切り幕２で打撃練習施設のレンジを区画することにより構築される。【選択図】図１
0003227335.tif 000002
【実用新案登録請求の範囲】
【請求項１】
区画された個別のレンジ内で利用者がボールを打つ練習を行うための打撃練習施設におけるレンジ構造であって、
前記レンジを区画する仕切り幕と、
利用者のスイングスピードを測定する速度測定器と、
を具備してなり、
前記仕切り幕が、
広告情報が掲載された広告表示部と、
前記速度測定器によって計測されたスイングスピードに基づく情報を表示するスイング情報表示部と、
を具備することを特徴とするレンジ構造。
【請求項２】
請求項１に記載のレンジ構造において、
前記広告表示部と前記スイング情報表示部とが隣接して配されてなるレンジ構造。
【請求項３】
請求項１に記載のレンジ構造において、
前記スイング情報表示部が前記広告表示部内に配されてなるレンジ構造。
【請求項４】
区画された個別のレンジ内で利用者がボールを打つ練習を行うための打撃練習施設における前記レンジを区画するための仕切り幕であって、
広告情報を掲載するための広告表示部と、
利用者のスイングスピードに基づく情報を表示するためのスイング情報表示部と、
を具備してなることを特徴とする仕切り幕。
【請求項５】
区画された個別のレンジ内で利用者がボールを打つ練習を行うための打撃練習施設における前記レンジを構築するためのレンジ構築キットであって、
請求項２に記載の仕切り幕と、
スイングスピードを測定するための速度測定器と、
を具備してなることを特徴とするレンジ構築キット。
【考案の詳細な説明】
【技術分野】
【０００１】
本考案は、区画された個別のレンジ内で利用者がボールを打つ練習を行うための打撃練習施設におけるレンジ構造、前記レンジを区画するための仕切り幕、及び、前記レンジを構築するためのレンジ構築キットに関する。
【背景技術】
【０００２】
「打ちっ放し」と称されるゴルフ練習場や、「バッティングセンター」と称される打撃練習場などの打撃練習施設では、個々の利用者がそれぞれ個別のレンジ（バッティングレンジやドライビングレンジ）内でボールを打てるように、前記レンジがネットや間仕切りなどの仕切り幕にて区画されている。
【０００３】
最近、この種の打撃練習施設において、前記レンジにバットやゴルフクラブを振る際のスイングスピード（ヘッドスピード）を測定するための速度測定器が備えられているところが増えてきており、様々な測定方式の速度測定器も種々開発されている（例えば、下記特許文献１〜３参照。）。
【先行技術文献】
【特許文献】
【０００４】
【特許文献１】特開２０１３‐１７６５８１号公報
【特許文献２】特開２００６‐２６３８５号公報
【特許文献３】特開２００４‐２７１１９６号公報
【考案の概要】
【考案が解決しようとする課題】
【０００５】
バットやゴルフクラブを振る際のスイングスピードは、打球を遠くへ飛ばすための一つの指標である。従って、スイングスピードの確認は、現在のスイング技術の客観的評価となり、将来的なスイング技術の向上に役立つ。
【０００６】
そのため、測定されたスイングスピードの値は、一打毎に利用者の注意を確実に惹きつける情報となることは間違いない。
【０００７】
本考案は前記技術的課題に鑑みて開発されたものであり、打撃練習施設におけるレンジ内に掲載された広告情報に対する自然な視線誘導を促すことができる新規なレンジ構造、前記レンジを区画するための新規な仕切り幕、及び、前記レンジを構築するための新規なレンジ構築キットを提供することを目的とする。
【課題を解決するための手段】
【０００８】
前記技術的課題を解決する本考案のレンジ構造は、区画された個別のレンジ内で利用者がボールを打つ練習を行うための打撃練習施設におけるレンジ構造であって、前記レンジを区画する仕切り幕と、利用者のスイングスピードを測定する速度測定器と、を具備してなり、前記仕切り幕が、広告情報が掲載された広告表示部と、前記速度測定器によって計測されたスイングスピードに基づく情報を表示するスイング情報表示部と、を具備することを特徴とする（以下、「本考案レンジ構造」と称する。）。
【０００９】
前記本考案レンジ構造においては、前記広告表示部と前記スイング情報表示部とが隣接して配されてなるものが好ましい態様となる。
【００１０】
前記本考案レンジ構造においては、前記スイング情報表示部が前記広告表示部内に配されてなるものが好ましい態様となる。
【００１１】
前記技術的課題を解決する本考案の仕切り幕は、区画された個別のレンジ内で利用者がボールを打つ練習を行うための打撃練習施設における前記レンジを区画するための仕切り幕であって、広告情報を掲載するための広告表示部と、利用者のスイングスピードに基づく情報を表示するためのスイング情報表示部と、を具備してなることを特徴とする（以下、「本考案仕切り幕」と称する。）。
【００１２】
前記技術的課題を解決する本考案のレンジ構築キットは、区画された個別のレンジ内で利用者がボールを打つ練習を行うための打撃練習施設における前記レンジを構築するためのレンジ構築キットであって、前記本考案仕切り幕と、スイングスピードを測定するための速度測定器と、を具備してなることを特徴とする（以下、「本考案キット」と称する。）。
【考案の効果】
【００１３】
本考案によれば、打撃練習施設におけるレンジ内に掲載された広告情報に対する自然な視線誘導を促すことができる。
【図面の簡単な説明】
【００１４】
【図１】図１は、本考案レンジ構造の一実施形態を示す斜視図である。
【図２】図２は、前記本考案レンジ構造を構築するための本考案キット（並びに本考案仕切り幕）を示す斜視図である。
【図３】図３（ａ）は、前記本考案キットを示す正面図であり、図３（ｂ）は、別態様の本考案キットを示す正面図である。
【考案を実施するための形態】
【００１５】
以下、本考案の実施形態を説明するが、本考案はこれらの実施形態に限定されるものではない。
【００１６】
＜本考案レンジ構造１０＞
図１に、本考案レンジ構造１０の一実施形態を示す。本考案レンジ構造１０は、区画された個別のレンジ内で利用者がボールを打つ練習を行うための打撃練習施設におけるレンジの構造である。本実施形態においては、一般に「打ちっ放し」と称されるゴルフ用の練習施設を前記打撃練習施設として選択した。なお、本実施形態においては、前記本考案レンジ構造１０につき、図２に示す本考案キット１によって構築した。
【００１７】
＜本考案キット１＞
本考案キット１は、打撃練習施設におけるレンジを構築するためのキットである。前記本考案キット１は、「本考案仕切り幕（２）」と、「速度測定器（３）」と、を具備する。
【００１８】
＜本考案仕切り幕２＞
本考案仕切り幕２は、打撃練習施設におけるレンジを区画する役割を担う。本実施形態においては、前記本考案仕切り幕２として、一般に「ドライビングレンジ」称されるゴルフ練習用のレンジを区画する打席仕切り板を選択した。前記本考案仕切り幕２は、「広告表示部（２１）」と、「スイング情報表示部（２２）」と、を具備する。又、本実施形態に係る前記本考案仕切り幕２には、前記速度測定器３が固定されている。
【００１９】
‐広告表示部２１‐
広告表示部２１は、前記本考案仕切り幕２における広告情報を掲載するための領域である。本考案において広告情報とは、広告主が所定の人々に対して、広告目的を達成するために伝達する商品、サービス、会社概要等の情報を意味する。即ち、前記広告表示部２１は広告情報を表示するための看板や掲示板に相当する広告媒体である。本実施形態においては、前記広告表示部２１につき、広告情報を印刷したシートを前記本考案仕切り幕２に貼付することによって前記広告表示部２１を構築した。
【００２０】
‐スイング情報表示部２２‐
スイング情報表示部２２は、利用者のスイングスピードに基づく情報を表示する役割を担う。本考案においてスイングスピードに基づく情報とは、スイングスピードの値のみならず、スイングスピードに応じて算出した各種情報（例えば、ミート率等）を意味する。本実施形態においては、前記スイング情報表示部２２として、利用者の一スイング毎にスイングスピードをデジタル表示する仕組みとなされた電光掲示板を用いた。
【００２１】
‐速度測定器３‐
速度測定器３は、利用者のスイングスピードを測定する役割を担う。本実施形態においては、前記速度測定器３として、ドップラーセンサを利用した市販のスイング測定器を用いた。なお、前記速度測定器３を利用者の一スイング毎にスイングスピードを測定し、測定した値を前記スイング情報表示部２２に伝達する仕組みとなされている。
【００２２】
前記構成を有する本考案レンジ構造１０において打撃練習をすれば、利用者のスイングスピードに基づく情報が前記本考案仕切り幕２に設けられたスイング情報表示部に表示される。このスイングスピードに基づく情報は、スイング技術や飛距離の向上を目的とする利用者にとって非常に興味深い情報であり、利用者の視線は確実に前記本考案仕切り幕２に誘導される。その結果、前記本考案仕切り幕２に設けられた広告表示部２１が利用者の視野に入ることとなる。従って、本考案レンジ構造１０において打撃練習をした利用者は、練習中に何度も前記広告表示部２１に掲載された広告情報を見ることになるため、宣伝広告効果が向上する。
【００２３】
ところで、本実施形態においては、打撃練習施設としてゴルフ用の練習施設を選択しているが、打撃練習施設はゴルフ用の練習施設に限られない。例えば、一般に「バッティングセンター」と称される野球用の練習施設を打撃練習施設として選択しても良い。
【００２４】
又、本実施形態においては、本考案仕切り幕２として、ドライビングレンジを区画する打席仕切り板を選択しているが、本考案仕切り幕２は、打席仕切り板の形態に限られない。本考案仕切り幕２は、例えば、カーテンや間仕切り、ネット等の形態としても良い。
【００２５】
更に、本実施形態においては前記本考案仕切り幕２を構築するにあたり、図３（ａ）に示すように、前記広告表示部２１と前記スイング情報表示部２２とを左右に隣接して配しているが、前記広告表示部２１と前記スイング情報表示部２２との位置関係は、一般的な視野を有する者が、前記スイング情報表示部２２を見た際に前記広告表示部２１が視野に入る位置関係となっていれば特に限定されない。従って、前記広告表示部２１と前記スイング情報表示部２２との位置関係は、例えば、上下に隣接して配しても良い。特に、前記広告表示部２１と前記スイング情報表示部２２との位置関係につき、図３（ｂ）に示すように、前記スイング情報表示部２２が前記広告表示部２１内に配された状態とすれば、より一層の宣伝広告効果が向上することが確認されている。
【００２６】
加えて、本実施形態においては、前記広告表示部２１につき、広告情報を印刷したシートを前記本考案仕切り幕２に貼付することによって構築しているが、前記広告表示部２１の態様はこれに限られない。前記広告表示部２１としては、例えば、液晶画面を利用して経時的に広告情報が変わる形態としても良い。
【００２７】
又、本実施形態においては、前記スイング情報表示部２２を電光掲示板としているが、前記スイング情報表示部２２の携帯はこれに限られない。前記スイング情報表示部２２としては、例えば、液晶画面を利用しても良い。
【００２８】
更に、本実施形態においては、前記本考案仕切り幕２と前記速度測定器３とが一体化されているが、前記本考案仕切り幕２と前記速度測定器３とが別体となされていても良い。
【００２９】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００３０】
本考案は、打撃練習施設におけるレンジの構造、及び宣伝広告手段として好適に用いられる。
【符号の説明】
【００３１】
１  本考案キット（レンジ構築キット）
２  本考案仕切り幕（仕切り幕）
２１  広告表示部
２２  スイング情報表示部
３  速度測定器
１０  本考案レンジ構造（レンジ構造）
【図１】
0003227335.tif 000003
【図２】
0003227335.tif 000004
【図３】
0003227335.tif 000005
【手続補正書】
【提出日】令和2年4月28日(2020.4.28)
【手続補正１】
【補正対象書類名】実用新案登録請求の範囲
【補正対象項目名】全文
【補正方法】変更
【補正の内容】
【実用新案登録請求の範囲】
【請求項１】
区画された個別のレンジ内で利用者がボールを打つ練習を行うための打撃練習施設におけるレンジ構造であって、
前記レンジを区画する仕切り幕と、
利用者のスイングスピードを測定する速度測定器と、
を具備してなり、
前記仕切り幕が、
広告情報が掲載された広告表示部と、
前記速度測定器によって計測されたスイングスピードに基づく情報を表示するスイング情報表示部と、
を具備することを特徴とするレンジ構造。
【請求項２】
請求項１に記載のレンジ構造において、
前記広告表示部と前記スイング情報表示部とが隣接して配されてなるレンジ構造。
【請求項３】
請求項１に記載のレンジ構造において、
前記スイング情報表示部が前記広告表示部内に配されてなるレンジ構造。
【請求項４】
区画された個別のレンジ内で利用者がボールを打つ練習を行うための打撃練習施設における前記レンジを区画するための仕切り幕であって、
広告情報を掲載するための広告表示部と、
利用者のスイングスピードに基づく情報を表示するためのスイング情報表示部と、
が同一面に設けられてなることを特徴とする仕切り幕。
【請求項５】
区画された個別のレンジ内で利用者がボールを打つ練習を行うための打撃練習施設における前記レンジを構築するためのレンジ構築キットであって、
請求項４に記載の仕切り幕と、
スイングスピードを測定するための速度測定器と、
を具備してなることを特徴とするレンジ構築キット。